(57)【特許請求の範囲】
【請求項１】
垂下される平断面半円形のパリソンを平板状に均すガイド装置であって、
軸心回りに回転しながらパリソンに接し、パリソンを左右に拡げるように中央部を境として左右の各旋回方向が逆向きに形成された螺旋ガイド体を備えることを特徴とするパリソンのガイド装置。
【請求項２】
前記螺旋ガイド体はシャフトの外周に突状に形成されていることを特徴とする請求項１に記載のパリソンのガイド装置。
【発明の詳細な説明】
【技術分野】
【０００１】
本発明は、パリソンのガイド装置に関する。
【背景技術】
【０００２】
ブロー成形等に用いられ、押出し装置から垂下される平断面半円形のパリソンを平板状に均す装置の従来例として特許文献１、２に記載のものが挙げられる。両文献には、パリソンに円柱形状のガイド部材を当接させてその周面によってパリソンを平板状に均す技術が記載されている。
【先行技術文献】
【特許文献】
【０００３】
【特許文献１】特公平４−２０８７号公報
【特許文献２】特許第４２９５２１３号公報
【発明の概要】
【発明が解決しようとする課題】
【０００４】
特許文献１、２に記載の技術によれば、パリソンはガイド部材の周面により一旦は平板状に均されるものの、元の形状は平断面半円形の曲面であることから、ガイド部材を通過した後にパリソン自体の弾性復元力により再び曲面形状に戻りやすいという問題がある。
【０００５】
また、押出し装置から押し出された直後のパリソンは未だ流動性の高い溶融状態にあるため、パリソンの一部がガイド部材の周面に付着しやすいという問題がある。この問題については、ガイド部材をパイプ材から構成し、その内部に冷却水を流して周面の温度を冷やすことによりパリソンの付着を抑制する方法が考えられる。しかしこの方法は冷却水の配管やポンプ等を要するために部材点数および組み付け工数が増加してガイド装置の製作コストが高くなりやすい。
【０００６】
本発明は、このような問題を解決するために創案されたものであり、平断面半円形のパリソンを平板状にする際の均し性に優れ、さらにパリソンの付着が低減されるパリソンのガイド装置を提供することを目的としている。
【課題を解決するための手段】
【０００７】
前記課題を解決するため、本発明は、垂下される平断面半円形のパリソンを平板状に均すガイド装置であって、軸心回りに回転しながらパリソンに接し、パリソンを左右に拡げるように中央部を境として左右の各旋回方向が逆向きに形成された螺旋ガイド体を備えることを特徴とする。
【０００８】
本発明によれば、パリソンは、螺旋ガイド体の回転によって生ずる軸心方向の並進成分の力により、パリソンの幅方向中央を境にパリソンの幅方向外方に拡がりつつ下方に送られる。したがって、前記並進成分の力が加えられた分、パリソンの元の曲面形状に戻ろうとする弾性復元力が低減され、パリソンはより平坦な平板状に均される。
また、パリソンとの接触部位は軸心方向に間隔を空けて形成される螺旋ガイド体となるため、接触面積が小さくなり、その分、パリソンの付着が低減される。
【０００９】
また、本発明は、前記螺旋ガイド体はシャフトの外周に突状に形成されていることを特徴とする。
【００１０】
本発明によれば、螺旋ガイド体の剛性をシャフトによって高めることができる。
【発明の効果】
【００１１】
本発明によれば、平断面半円形のパリソンを平板状にする際の均し性に優れ、かつパリソンの付着が低減される。
【図面の簡単な説明】
【００１２】
【図１】本発明に係るパリソンのガイド装置の側面図である。
【図２】本発明に係るパリソンのガイド装置の平面図である。
【図３】本発明の螺旋ガイド体の側面図である。
【図４】本発明の螺旋ガイド体の側断面図である。
【図５】本発明の螺旋ガイド体の変形例を示す側断面図である。
【図６】本発明の螺旋ガイド体の他の変形例を示す側面図である。
【発明を実施するための形態】
【００１３】
図１に示すように、パリソンＰは押出し装置１の下端から押し出される。押出し装置１は、例えば溶融樹脂を中央のマンドレルと外側のダイとの間に形成される環状の樹脂通路からパリソンＰとして円筒状に押し出す汎用構造の押出し装置である。押出し装置１の下方にはカッター２が設けられ、円筒状に押し出されたパリソンＰはカッター２によりそれぞれ平断面半円形を呈する一対の切片に分断される。なお、パリソンＰが既に平断面半円形を呈した一対の切片の状態で押出し装置１から押し出される態様であっても差し支えない。
【００１４】
垂下された平断面半円形の各パリソンＰはガイド装置３によって平板状に均される。図２（押出し装置１およびパリソンＰは仮想線にて示す）も参照して、ガイド装置３は、軸心回りに回転しながらパリソンＰに接し、パリソンＰを左右に、つまりパリソンＰの幅方向外方に拡げるように中央部４Ｃを境として左右の各旋回方向が互いに逆向きに形成された螺旋ガイド体４を備える。螺旋ガイド体４の材質は、金属材、合成樹脂材、ゴム材等であり、特に限定されるものではない。
【００１５】
各パリソンＰに接する２つの螺旋ガイド体４を符号４Ａ，４Ｂとして区別すると、螺旋ガイド体４Ａと螺旋ガイド体４Ｂとは、各軸心が水平方向に沿い、かつ互いに平行となるようにレイアウトされる。螺旋ガイド体４Ａ，４Ｂは各パリソンＰの内面側（円筒状態であったときの内周面側）に接しており、図１に示すように螺旋ガイド体４Ａ，４Ｂの軸心方向から見て、一方の螺旋ガイド体４Ａは反時計回りであるＱ方向に回転してパリソンＰを下方に送り、他方の螺旋ガイド体４Ｂは時計回りであるＲ方向に回転してパリソンＰを下方に送る。
【００１６】
図２、図３に示すように、螺旋ガイド体４は、例えばシャフト５の外周に突状に形成される。図４に示すように、螺旋ガイド体４の断面は山形形状を呈しており、その頂上部は曲面状に形成されている。図４では、螺旋ガイド体４をシャフト５と一体成形した態様を示しているが、シャフト５と別体に成形したうえでシャフト５に一体に組み付ける態様としても差し支えない。
【００１７】
図２に示すように、シャフト５は、平板状のパリソンＰの幅寸法以上の長さ寸法を有し、水平方向に沿って延設される円柱形状の部材であり、その両端周りは、図示しないフレームに取り付けられた軸受６に支承される。シャフト５の一端に軸着された従動プーリ７と駆動モータＭの出力軸に軸着された駆動プーリ８との間には伝達ベルト９が掛け回される。
【００１８】
螺旋ガイド体４Ａは、Ｑ方向の回転に対して、図２における中央部４Ｃよりも右側の領域においてはパリソンＰを右側に向けて並進させる並進成分を有するようにシャフト５に旋回形成され、中央部４Ｃよりも左側の領域においてはパリソンＰを左側に向けて並進させる並進成分を有するようにシャフト５に旋回形成される。螺旋ガイド体４Ｂも同様であり、Ｒ方向の回転に対して、図２における中央部４Ｃよりも右側の領域においてはパリソンＰを右側に向けて並進させる並進成分を有するようにシャフト５に旋回形成され、中央部４Ｃよりも左側の領域においてはパリソンＰを左側に向けて並進させる並進成分を有するようにシャフト５に旋回形成される。
【００１９】
以上により、各駆動モータＭの駆動によりシャフト５が回転すると、各パリソンＰは、螺旋ガイド体４Ａ，４Ｂの頂上部から受ける前記並進成分の力によって、パリソンＰの幅方向中央を境にパリソンＰの幅方向外方に拡がりつつ下方に送られる。したがって、前記並進成分の力が加えられた分、パリソンＰの元の曲面形状に戻ろうとする弾性復元力が低減され、パリソンＰはより平坦な平板状に均される。
【００２０】
また、押出し装置１から押し出された直後のパリソンＰは未だ流動性の高い溶融状態にあるため、パリソンＰとの接触部位にパリソンＰの一部が付着しやすいという問題がある。これに対し本発明のガイド装置３によれば、パリソンＰとの接触部位は軸心方向に間隔を空けて形成される螺旋ガイド体４の頂上部周りとなるため、接触面積が極めて小さくなり、その分、パリソンＰの付着が低減される。したがって、パリソンＰの付着防止のために冷却水を用いる等の措置も省くことができる。
【００２１】
ここで、螺旋ガイド体４の回転速度については、例えば駆動モータＭの回転速度を変えることにより、可変に構成することができる。本発明者が試験したところでは、押出し装置１のパリソンＰの送り出し速度に対して、螺旋ガイド体４の回転速度（厳密には、パリソンＰとの接点の速度（角速度×螺旋ガイド体４の半径））が遅い場合にはパリソンＰに波状のしわが生じやすくなり、逆に速い場合にはパリソンＰが上下に引っ張られて薄肉部が生じやすい傾向が確認された。螺旋ガイド体４の回転速度をパリソンＰの送り出し速度と略同じに設定したところ、これらの問題も生ずることなくパリソンＰをスムーズにガイドできることが確認された。
【００２２】
本発明の変形例として、図５は、シャフト５を中空パイプ材から構成し、このシャフト５とは別体の螺旋ガイド体４をシャフト５の外周面に巻回形成した例を示している。パリソンＰの付着を一層低減する目的で、このシャフト５の内部に冷却水を流してもよい。
【００２３】
本発明の他の変形例として、図６は螺旋ガイド体４の内側を中空とした構造を示す。この場合、螺旋ガイド体４の両端は例えば回転自在な軸部材１０に取り付ける。本変形例は螺旋ガイド体４のみで剛性を確保できる場合に好適であり、図１〜図５に示したシャフト５を省略することができる。
【００２４】
以上、本発明の好適な実施形態について説明したが、本発明は図面に記載したものに限られず、その趣旨を逸脱しない範囲で様々な設計変更が可能である。
【符号の説明】
【００２５】
１      押し出し装置
２      カッター
３      ガイド装置
４（４Ａ，４Ｂ）  螺旋ガイド体
４Ｃ    中央部
５      シャフト
Ｐ      パリソン
【図１】
0005600640.tif 000002
【図２】
0005600640.tif 000003
【図３】
0005600640.tif 000004
【図４】
0005600640.tif 000005
【図５】
0005600640.tif 000006
【図６】
0005600640.tif 000007